(57)【要約】      （修正有）【課題】美観および実用性を兼ね備えるドアクローザーの取付座を提供する。【解決手段】ドアクローザーの取付座１０はハウジング２０、二つの固定部材３０および二つのキャップ４０を備える。ハウジング２０は左側面２２と、右側面２４と、左側面２２および右側面２４を連結する外側面２６とを有する。左側面２２および右側面２４はそれぞれ表面に凹んで形成された凹状開口部と、凹状開口部の内壁面２５２と外側面２６を貫通する穿孔２８とを有する。二つの固定部材３０は穿孔２８を貫通し、ハウジング２０をドアまたはドアの枠に固定する。二つのキャップ４０は左側面２２および右側面２４の凹状開口部に被さる。キャップ４０は左側面２２および右側面２４の凹状開口部に被さり、凹状開口部の中の固定部材３０を遮蔽できるため、ドアクローザー全体の外観が美しくなる。【選択図】図２
0003210264.tif 000002
【実用新案登録請求の範囲】
【請求項１】
ハウジング、二つの固定部材および二つのキャップを備え、
前記ハウジングは、左側面と、右側面と、前記左側面および前記右側面を連結する外側面とを有し、前記左側面および前記右側面はそれぞれ表面に凹んで形成された凹状開口部と、前記凹状開口部の内壁面と前記外側面を貫通する穿孔とを有し、
二つの前記固定部材は、前記穿孔を貫通し、前記ハウジングをドアまたはドアの枠に固定し、
二つの前記キャップは、前記左側面および前記右側面の前記凹状開口部に被さることを特徴とするドアクローザーの取付座。
【請求項２】
前記ハウジングは、内部にオイル、ピストン機構およびローラー機構を格納するためのチャンバーを有することを特徴とする請求項１に記載のドアクローザーの取付座。
【請求項３】
前記ハウジングは直方体であることを特徴とする請求項１に記載のドアクローザーの取付座。
【請求項４】
二つの前記キャップは一側に当接部を有し、前記当接部はそれぞれ前記左側面の前記凹状開口部の前記内壁面および前記右側面の前記凹状開口部の前記内壁面に当接することを特徴とする請求項１に記載のドアクローザーの取付座。
【請求項５】
前記当接部は二つの片状突起部からなることを特徴とする請求項４に記載のドアクローザーの取付座。
【請求項６】
前記キャップ、前記左側面および前記右側面は形および面積が同じであることを特徴とする請求項１に記載のドアクローザーの取付座。
【請求項７】
前記固定部材はねじであることを特徴とする請求項１に記載のドアクローザーの取付座。
【請求項８】
一つの前記穿孔は前記右側面および前記外側面を軸線方向に貫通し、別の一つの前記穿孔は前記左側面および前記外側面を軸線方向に貫通することを特徴とする請求項１に記載のドアクローザーの取付座。
【考案の詳細な説明】
【技術分野】
【０００１】
本考案は、ドアクローザーに関し、詳しくはドアクローザーの取付座に関するものである。
【背景技術】
【０００２】
図１に示すように、周知のドアクローザーの取付座９０はドア９８に装着され、内部にオイル、ピストン機構およびローラー機構を有する。ローラー機構は取付座９０に突出し、回転アーム９２を介してドアの枠９９に連結される。ドアが開閉する際、ドアの開閉速度はオイル、ピストン機構およびローラー機構の連動関係によって制御される。
【０００３】
ドアクローザーの取付座９０は両側に突出して形成された二つの肩部９４を有する。少なくとも一つの固定部材９６は肩部９４およびドア９８に差し込まれることによってドアクローザーの取付座９０をドア９８に固定する。しかしながら、ドアクローザーは固定部材９６および肩部９４が取付座９０に露出するため、外観が美しくないうえ、視覚的に複雑という印象を与えてしまうだけでなく、現今のデザインの潮流に求められるコンパクトさを満足させることができない。
【０００４】
それに対し、美観および実用性を兼ね備えるドアクローザーの取付座を考案することは本考案の課題である。
【考案の概要】
【考案が解決しようとする課題】
【０００５】
本考案は、美観および実用性を兼ね備えるドアクローザーの取付座を提供することを主な目的とする。
【課題を解決するための手段】
【０００６】
上述した課題を解決するため、ドアクローザーの取付座はハウジング、二つの固定部材および二つのキャップを備える。ハウジングは左側面と、右側面と、左側面および右側面を連結する外側面とを有する。左側面および右側面はそれぞれ表面に凹んで形成された凹状開口部と、凹状開口部の内壁面と外側面を貫通する穿孔とを有する。二つの固定部材は穿孔を貫通し、ハウジングをドアまたはドアの枠に固定する。二つのキャップは左側面および右側面の凹状開口部に被さる。
【０００７】
比較的好ましい場合、固定部材はねじである。
【０００８】
キャップは左側面および右側面の凹状開口部に被さり、凹状開口部の中の固定部材を遮蔽するため、ドアクローザー全体の外観を増し、コンパクトな視覚的表現を生じることができる。
【０００９】
本考案によるドアクローザーの取付座の詳細な構造および特徴は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１０】
【図１】周知のドアクローザーの取付座を示す斜視図である。
【図２】本考案の一実施形態によるドアクローザーの取付座の穿孔から固定部材が取り外された状態を示す分解斜視図である。
【図３】本考案の一実施形態によるドアクローザーの取付座において当接部が凹状開口部の内壁面に当接する状態を示す一部分の断面図である。
【図４】本考案の一実施形態によるドアクローザーの取付座の穿孔に固定部材が差し込まれた状態を示す一部分の断面図である。
【図５】本考案の一実施形態によるドアクローザーの取付座のハウジングがドアに取り付けられた状態を示す斜視図である。
【考案を実施するための形態】
【００１１】
以下、本考案によるドアクローザーの取付座を図面に基づいて説明する。
（一実施形態）
図２から図４に示すように、本考案の一実施形態によるドアクローザーの取付座１０はハウジング２０、二つの固定部材３０および二つのキャップ４０を備える。
【００１２】
ハウジング２０は、長方形を呈し、左側面２２と、右側面２４と、左側面２２および右側面２４を連結する外側面２６とを有する。左側面２２および右側面２４はそれぞれハウジング２０の長軸の両端に位置する。
【００１３】
本実施形態において、左側面２２および右側面２４は相互に平行であり、外側面２６は左側面２２および右側面２４に垂直であるが、これに限らない。別の実施形態において、左側面２２、右側面２４と外側面２６との間の夾角は９０度以下であってもよい。
【００１４】
左側面２２は表面に凹んで形成された凹状開口部２３を有する。右側面２４は表面に凹んで形成された凹状開口部２５を有する。本実施形態において、左側面２２の凹状開口部２３および右側面２４の凹状開口部２５は水平断面が円形であるが、これに限らず、正方形、長方形、菱形、多辺形または不規則な形であってもよい。図４に示すように、左側面２２の凹状開口部２３は内壁面２３２と外側面２６を貫通する穿孔２８を有する。右側面２４の凹状開口部２５は内壁面２５２と外側面２６を貫通する穿孔２８を有する。別の実施形態において、左側面２２の凹状開口部２３には内壁面２３２と外側面２６を貫通する穿孔２８が一つしかない。右側面２４の凹状開口部２５には内壁面２５２と外側面２６を貫通する穿孔２８が一つしかない。つまり、本考案は使用状態に応じて穿孔２８を増減することができる。本実施形態において、穿孔２８は右側面２４（左側面２２）および外側面２６を軸線方向に貫通する。別の実施形態において、穿孔２８の軸線は右側面２４（左側面２２）に平行であっても、外側面２６に垂直であってもよい。
【００１５】
ハウジング２０は、オイル、ピストン機構、ローラー機構などの周知のドアクローザーの内部パーツを格納するためのチャンバー２７を有する。チャンバー２７はピストン機構によって分割され、二つのオイル室を形成する。オイルは二つのオイル室の間を流動する。チャンバー２７は一端が左側面２２の凹状開口部２３に連絡し、他端が右側面２４の凹状開口部２５に連絡する。チャンバー２７は両端に遮蔽蓋２９を有する。チャンバー２７内のオイル、ピストン機構およびローラー機構は遮蔽蓋２９によって密封される。
【００１６】
固定部材３０および穿孔２８は数が同じである。固定部材３０は穿孔２８を貫通し、ハウジング２０をドア５０またはドアの枠に固定する。本実施形態において、固定部材３０はねじであるが、これに限らない。別の実施形態において、固定部材３０は釘、リベットまたはねじとナットからなる締付ユニットであってもよい。
【００１７】
二つのキャップ４０は、左側面２２の凹状開口部２３および右側面２４の凹状開口部２５に別々に被さり、一側に当接部４２を有する。当接部４２はそれぞれ左側面２２の凹状開口部２３の内壁面２３２および右側面２４の凹状開口部２５の内壁面２５２に当接する。本実施形態において、キャップ４０、左側面２２および右側面２４は面積および形が同じである。キャップ４０の当接部４２は二つの片状突起部４２２からなる。続いて、右側面２４の凹状開口部２５に被さるキャップ４０を例として説明する。キャップ４０の一側に形成された二つの片状突起部４２２は右側面２４の凹状開口部２５の内壁面２５２に当接することによって圧迫され、キャップ４０を右側面２４に固定する。左側面２２の凹状開口部２３に被さるキャップ４０の構造および装着方法は右側面２４の凹状開口部２５に被さるキャップ４０と同じであるため、詳細な説明を省略する。
【００１８】
別の実施形態において、キャップ４０、左側面２２の凹状開口部２３および右側面２４の凹状開口部２５は形および面積が同じである。キャップ４０の当接部４２はキャップ４０の周縁部に配置される。キャップ４０は左側面２２の凹状開口部２３の全体および右側面２４の凹状開口部２５の全体に被さる。
【００１９】
図５に示すように、穿孔２８に固定部材３０を差し込み、ハウジング２０をドア５０に固定し、左側面２２の凹状開口部２３および右側面２４の凹状開口部２５にキャップ４０を被せれば、固定部材３０はキャップ４０によって遮蔽され、左側面２２の凹状開口部２３および右側面２４の凹状開口部２５に隠れる。上述したとおり、ドアクローザー全体の外観を増し、コンパクトな視覚的表現を生じることができる。
【００２０】
以上、本考案は、上記実施形態になんら限定されるものではなく、考案の趣旨を逸脱しない範囲において種々の形態で実施可能である。
【符号の説明】
【００２１】
１０：取付座、
２０：ハウジング、
３０：固定部材、
４０：キャップ、
２２：左側面、
２４：右側面、
２６：外側面、
２３、２５：凹状開口部、
２３２、２５２：内壁面、
２８：穿孔、
２７：チャンバー、
２９：遮蔽蓋、
４２：当接部、
４２２：片状突起部、
５０：ドア
【図１】
0003210264.tif 000003
【図２】
0003210264.tif 000004
【図３】
0003210264.tif 000005
【図４】
0003210264.tif 000006
【図５】
0003210264.tif 000007